(57)【要約】【課題】アウターの立体ギャザーの不適切な変形、及びパッドタイプ使い捨ておむつの側部の不適切な変形や位置ズレを防止する。【解決手段】上記課題は、おむつの前端部及び後端部の両側部に、側縁から幅方向中央側に延びる切り込み２３０が設けられたパッドタイプ使い捨ておむつ２００により解決される。【選択図】図５
2014045979.tif 000002
【特許請求の範囲】
【請求項１】
股間部の前後少なくとも一方側における両側部に、側縁から幅方向中央側に延びる、切り込み若しくは切欠き又はこれらを形成するためのミシン目が設けられている、ことを特徴とするパッドタイプ使い捨ておむつ。
【請求項２】
股間部の前側から股間部の後側まで延在する吸収体を備えており、この吸収体は、前記切り込み若しくは切欠き又はこれらを形成するためのミシン目の股間側及びその反対側のうち少なくとも一方側に延在する部分を有している、請求項１記載のパッドタイプ使い捨ておむつ。
【請求項３】
前記切り込み若しくは切欠き又はこれらを形成するためのミシン目として、おむつの前端部及び後端部の両側部に、側縁から幅方向中央側かつ股間側に向かう斜め方向の切り込み又はこれらを形成するためのミシン目が設けられている、請求項２記載のパッドタイプ使い捨ておむつ。
【請求項４】
前記切り込み若しくは切欠き又はこれらを形成するためのミシン目として、おむつの前端部及び後端部の両側部に、側縁から幅方向中央側に向かうにつれて前後方向間隔が短くなる形状の切欠き又はこれらを形成するためのミシン目が設けられている、請求項２記載のパッドタイプ使い捨ておむつ。
【発明の詳細な説明】
【技術分野】
【０００１】
本発明は、パッドタイプ使い捨ておむつに関するものである。
【背景技術】
【０００２】
使い捨ておむつとしては、パッドタイプ、テープタイプ、パンツタイプ等の形態のものが提供されている。また、パッドタイプの一形態として、表裏両面から吸収可能な補助吸収性物品も提供されている。
【０００３】
パッドタイプ使い捨ておむつ（特許文献１，２参照）は、テープタイプやパンツタイプ等のアウター（外側に用いられる）の内面に敷いて使用されることが想定されている。アウターとなる一般的な使い捨ておむつは、表面の両側部に、身体側に突出する立体ギャザーがそれぞれ前後方向に沿って延在しているものが一般的であるため、その内面にパッドタイプ使い捨ておむつを敷く場合、パッドタイプ使い捨ておむつは立体ギャザーの間に収まる方が望ましい。
【０００４】
しかし、立体ギャザーは前後の端部に倒伏状態で固定された倒伏部分が設けられ、この前後の倒伏部分の間に起立可能な自由部分が設けられた構造を有しているため、パッドタイプ使い捨ておむつの前後長がアウターの立体ギャザーにおける前後の倒伏部分の間隔よりも長く、かつパッドタイプ使い捨ておむつの幅がアウターの立体ギャザーにおける左右の倒伏部分の間隔より広いと、アウターの立体ギャザーの倒伏部分が邪魔になり、パッドタイプ使い捨ておむつをアウターの立体ギャザーの間に収めようとすると、アウターの立体ギャザーの不適切な変形や、パッドタイプ使い捨ておむつの側部の不適切な変形をもたらすおそれがあるだけでなく、パッドタイプ使い捨ておむつの位置ズレや側部の捲れをもたらすおそれもある。
【先行技術文献】
【特許文献】
【０００５】
【特許文献１】特開平９−９９００７号公報
【特許文献２】特開２００９−１９５３０９号公報
【発明の概要】
【発明が解決しようとする課題】
【０００６】
そこで、本発明の主たる課題は、アウターの立体ギャザーの不適切な変形、及びパッドタイプ使い捨ておむつの側部の不適切な変形や位置ズレを防止することにある。
【課題を解決するための手段】
【０００７】
上記課題を解決した本発明は次記のとおりである。
＜請求項１記載の発明＞
股間部の前後少なくとも一方側における両側部に、側縁から幅方向中央側に延びる、切り込み若しくは切欠き又はこれらを形成するためのミシン目が設けられている、ことを特徴とするパッドタイプ使い捨ておむつ。
【０００８】
（作用効果）
本発明のパッドタイプ使い捨ておむつでは、股間部の前後少なくとも一方側における両側部が、切り込み若しくは切欠きを境として股間部側とその反対側に分離される。よって、股間部側の分離部分は、アウターの立体ギャザーの前後の倒伏部分間において立体ギャザーの内側に差し込み、股間部側と反対側の分離部分は、アウターの立体ギャザーの外側に出すことにより、アウターの立体ギャザーの倒伏部分を避けつつ、アウターの立体ギャザーに沿って重ねることができる。よって、アウターの立体ギャザーにおける前後の倒伏部分の間隔よりも長く、かつアウターの立体ギャザーにおける左右の倒伏部分の間隔より広い場合であっても、アウターの立体ギャザーの倒伏部分が邪魔にならず、アウターの立体ギャザーの不適切な変形や、パッドタイプ使い捨ておむつの側部の不適切な変形を防止できる。またそれだけでなく、切り込み若しくは切欠きにアウターの立体ギャザーを差し込んでして引っ掛けることになるため、パッドタイプ使い捨ておむつの位置ズレをも効果的に防止することもできる。
【０００９】
＜請求項２記載の発明＞
股間部の前側から股間部の後側まで延在する吸収体を備えており、この吸収体は、前記切り込み若しくは切欠き又はこれらを形成するためのミシン目の股間側及びその反対側のうち少なくとも一方側に延在する部分を有している、請求項１記載のパッドタイプ使い捨ておむつ。
【００１０】
（作用効果）
吸収体の側部形状をこのようにすることにより、切り込み若しくは切欠きを間にして少なくとも一方側の分離部分内に吸収体による芯が入った状態となり、おむつの両側部の形状維持性が向上する。よって、前述のように股間部側の分離部分を立体ギャザーの内側に差し込む作業や、股間部側と反対側の分離部分をアウターの立体ギャザーの外側に出す作業に際して、分離部分が折れたり捲れたりし難くなり、作業が容易となるだけでなく、その装着形状が効果的に維持されるようになる。
【００１１】
＜請求項３記載の発明＞
前記切り込み若しくは切欠き又はこれらを形成するためのミシン目として、おむつの前端部及び後端部の両側部に、側縁から幅方向中央側かつ股間側に向かう斜め方向の切り込み又はこれらを形成するためのミシン目が設けられている、請求項２記載のパッドタイプ使い捨ておむつ。
【００１２】
（作用効果）
このような位置及び形状の切り込み等を有することにより、アウターの立体ギャザーの内側に差し込まれる股間部側の分離部分が尖った形状となり、アウターの立体ギャザーの倒伏部分に当接した状態ではアウターの立体ギャザーの内側から抜け出にくくなるため好ましい。
【００１３】
＜請求項４記載の発明＞
前記切り込み若しくは切欠き又はこれらを形成するためのミシン目として、おむつの前端部及び後端部の両側部に、側縁から幅方向中央側に向かうにつれて前後方向間隔が短くなる形状の切欠き又はこれらを形成するためのミシン目が設けられている、請求項２記載のパッドタイプ使い捨ておむつ。
【００１４】
（作用効果）
このような位置及び形状の切欠き等を有することにより、切欠きが開いた形状となり、切欠きにアウターの立体ギャザーを差し込み易くなるため、装着作業が容易となる。
【発明の効果】
【００１５】
以上のとおり本発明によれば、アウターの立体ギャザーの不適切な変形、及びパッドタイプ使い捨ておむつの側部の不適切な変形や位置ズレを防止できるようになる、等の利点がもたらされる。
【図面の簡単な説明】
【００１６】
【図１】パッドタイプ使い捨ておむつの展開状態の表面側を示す平面図である。
【図２】パッドタイプ使い捨ておむつの展開状態の裏面側を示す平面図である。
【図３】図１のＹ−Ｙ断面図である。
【図４】図１のＺ−Ｚ断面図である。
【図５】装着状態の表面側を示す（ａ）腹側、（ｂ）背側の斜視図である。
【図６】装着状態の要部を示す展開状態平面図である。
【図７】パッドタイプ使い捨ておむつの展開状態の裏面側を示す平面図である。
【図８】装着状態の要部を示す展開状態平面図である。
【図９】パッドタイプ使い捨ておむつの展開状態の裏面側を示す平面図である。
【図１０】装着状態の要部を示す展開状態平面図である。
【図１１】パッドタイプ使い捨ておむつの展開状態の裏面側を示す平面図である。
【図１２】展開状態のパンツタイプ使い捨ておむつの平面図（内面側）である。
【図１３】展開状態のパンツタイプ使い捨ておむつの平面図（外面側）である。
【図１４】展開状態のパンツタイプ使い捨ておむつの要部平面図である。
【図１５】図１２のＣ−Ｃ断面図である。
【図１６】図１２のＡ−Ａ断面図である。
【図１７】図１２のＢ−Ｂ断面図である。
【図１８】パンツタイプ使い捨ておむつの接着剤塗布パターンを示す平面図である。
【図１９】パンツタイプ使い捨ておむつの弾性部材カットパターンを示す平面図である。
【図２０】パンツタイプ使い捨ておむつの装着状態の斜視図である。
【図２１】パンツタイプ使い捨ておむつの装着状態の背面図である。
【図２２】図１２のＤ−Ｄ断面図である。
【図２３】パンツタイプ使い捨ておむつの装着状態の背面図である。
【図２４】展開状態のパンツタイプ使い捨ておむつの要部拡大平面図（外面側）である。
【図２５】展開状態のパンツタイプ使い捨ておむつの要部拡大平面図（外面側）である。
【発明を実施するための形態】
【００１７】
以下、本発明の一実施形態について添付図面を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。物品の前後方向中間あるいは吸収体の前後方向中間に幅の狭い括れ部分を有する場合は、いずれか一方又は両方の括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
【００１８】
＜パッドタイプ使い捨ておむつの例＞
（基本構造）
図１〜図４は、本発明に係るパッドタイプ使い捨ておむつ例２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、物品全長（前後方向長さ）Ｌは３５０〜７００ｍｍ程度、全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００１９】
パッドタイプ使い捨ておむつ２００は、液不透過性シート２２１の内面と、液透過性トップシート２２２との間に、吸収体２２３が介在された基本構造を有している。
【００２０】
吸収体２２３の裏面側には、液不透過性シート２２１が吸収体２２３の周縁より若干食み出すように設けられている。液不透過性シート２２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。なお、液不透過性シート２２１の外面は、不織布からなる外装シートにより覆うこともできる。
【００２１】
吸収体２２３の表面側は、液透過性トップシート２２２により覆われている。図示形態ではトップシート２２２の側縁から吸収体２２３の幅方向両端部が一部食み出しているが、吸収体２２３の幅方向両端部の側縁が食み出さないようにトップシート２２２の幅を広げることもできる。トップシート２２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２２】
トップシート２２２と吸収体２２３との間には、中間シート２２５を介在させるのが望ましい。この中間シート２２５は、吸収体２２３により吸収した尿の逆戻りを防止するために設けられるものであり、保水性が低く、且つ液透過性の高い素材、例えば各種の不織布やメッシュフィルム等を用いるのが望ましい。トップシート２２２の前端を０％としトップシート２２２の後端を１００％としたとき、中間シート２２５の前端は０〜１１％の範囲に位置しているのが好ましく、中間シート２２５の後端は９２〜１００％の範囲に位置しているのが好ましい。また、中間シート２２５の幅Ｗ４は後述する吸収体２２３の幅Ｗ２の５０〜９０％程度であるのが好ましい。
【００２３】
パッドタイプ使い捨ておむつ２００の前後方向両端部では、液不透過性シート２２１および液透過性トップシート２２２が吸収体２２３の前後端よりも前後両側にそれぞれ延在されて貼り合わされ、吸収体２２３の存在しないエンドフラップ部ＥＦが形成されている。パッドタイプ使い捨ておむつ２００の両側部では、液不透過性シート２２１が吸収体２２３の側縁よりも外側にそれぞれ延在され、この延在部からトップシート２２２の側部までの部分の表面には、立体ギャザー２２４を構成するギャザーシート２２４ｓの幅方向外側の部分２２４ｘが前後方向全体にわたり貼り付けられ、吸収体２２３の存在しないサイドフラップ部ＳＦを構成している。部材相互の貼り合わせ部分は、図１では斜線模様、図３、図４では点模様でそれぞれ示されており、ホットメルト接着剤、ヒートシール、超音波シールにより形成できる。
【００２４】
ギャザーシート２２４ｓの素材としては、プラスチックシートやメルトブローン不織布を使用することもできるが、肌への感触性の点で、不織布にシリコンなどにより撥水処理をしたものが好適に使用される。
【００２５】
ギャザーシート２２４ｓの幅方向中央側の部分２２４ｃはトップシート２２２上にまで延在しており、その幅方向中央側の端部には、細長状弾性部材２２４Ｇが前後方向に沿って伸張状態でホットメルト接着剤等により固定されている。この細長状弾性部材２２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２６】
また、両ギャザーシート２２４ｓは、幅方向外側の部分２２４ｘが前後方向全体にわたり液不透過性シート２２１に貼り合わされて固定されるとともに、幅方向中央側の部分２２４ｃは、前後方向の両端部では倒伏状態で物品内面（図示形態ではトップシート２２２表面）に貼り合わされて固定され、かつ前後方向の両端部間では物品内面（図示形態ではトップシート２２２表面）に固定されていない。この非固定部分は、図４に二点鎖線で示されるように、物品内面（図示形態ではトップシート２２２表面）に対して起立可能なバリヤ部となる部分であり、その起立基端２２４ｂはギャザーシート２２４ｓにおける幅方向外側の固定部分２２４ｘと内側の部分２２４ｃとの境に位置する。
【００２７】
吸収体２２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２２３はクレープ紙等の包装シート２２６（断面図中には図示せず）により包むことができる。
【００２８】
吸収体２２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。より詳細には、下層吸収体２２３Ｂの繊維目付けは例えば８０〜４００ｇ／ｍ2程度、高吸収性ポリマーの目付けは例えば５０〜４００ｇ／ｍ2程度とすることができ、上層吸収体２２３Ｕの繊維目付けは例えば８０〜３００ｇ／ｍ2程度、高吸収性ポリマーの目付けは例えば１０〜２００ｇ／ｍ2程度とすることができる。
【００２９】
吸収体２２３は、股間部Ｃ２を含む前後方向中間の所定部分が、前後両側よりも幅の狭い括れ形状や、矩形状等適宜の形状とすることができる。
【００３０】
パッドタイプ使い捨ておむつ２００の裏面には、必要に応じてアウターの内面に対するずれ止め部２８０が設けられる。このようなずれ止め部２８０は粘着剤層又はメカニカルファスナー（面ファスナー）のフックテープ（雄材）を用いることができる。ずれ止め部２８０は吸収体２２３と重なる部位に設けることが望ましい。
【００３１】
（アウター立体ギャザー差し込み部）
特徴的には、図１及び図２に示すように、おむつ２００の前端部及び後端部の両側部に、側縁から幅方向に沿って吸収体２２３側に延びる切り込み２３０がそれぞれ設けられており、切り込み２３０を境として股間部側とその反対側に分離されている。使用に際しては、図５及び図６に示すように、股間部側の分離部分２０１は、アウター１００の立体ギャザー７０の前後の倒伏部分７２間においてアウター１００の立体ギャザー７０の内側（裏側）に差し込み、股間部側と反対側の分離部分２０２は、アウター１００の立体ギャザー７０の外側（表側）に出すことにより、アウター１００の立体ギャザー７０の倒伏部分７２を避けつつ、アウター１００の立体ギャザー７０に沿って重ねることができる。よって、アウター１００の立体ギャザー７０における前後の倒伏部分７２の間隔よりも長く、かつアウター１００の立体ギャザー７０における左右の倒伏部分７２の間隔より広い場合であっても、アウター１００の立体ギャザー７０の倒伏部分７２が邪魔にならず、アウター１００の立体ギャザー７０の不適切な変形や、パッドタイプ使い捨ておむつ２００の側部の不適切な変形を防止できる。またそれだけでなく、切り込み２３０若しくは切欠き２３１にアウター１００の立体ギャザー７０を差し込んでして引っ掛けることになるため、パッドタイプ使い捨ておむつ２００の位置ズレをも効果的に防止することもできる。
【００３２】
特に、図示形態のように、吸収体２２３の側部を部分的に突出させ、突出部分２２３ｐを切り込み２３０の股間側及びその反対側（いずれか一方側のみでもよい）に延在させると、切り込み２３０の前後両側の分離部分２０１，２０２内にそれぞれ吸収体２２３の突出部分２２３ｐによる芯が入った状態となり、おむつ２００の両側部の形状維持性が向上する。よって、前述のように股間部側の分離部分２０１を立体ギャザーの内側に差し込む作業や、股間部側と反対側の分離部分２０２をアウター１００の立体ギャザー７０の外側に出す作業に際して、分離部分２０１，２０２が折れたり捲れたりし難くなり、作業が容易となるだけでなく、その装着形状が効果的に維持されるようになる。
【００３３】
なお、吸収体２２３の側部を、切り込み２３０の股間側及びその反対側の両方に延在させる場合、一層の吸収体２２３では製造が困難となるため、図１１に示すように、吸収体２２３を二層構造とし、一方の層２２３Ａ（例えば上層）の側部に切り込み２３０の股間側に延在する部分を形成し、他方の層２２３Ｂ（例えば下層）の側部に切り込み２３０の股間側と反対側に延在する部分を形成するのも好ましい形態である。
【００３４】
切り込み２３０の位置は適宜定めることができ、股間部の前後少なくとも一方側であれば、おむつ２００の前後方向端部でなくても良く、また前後両側に設けなくても良い。ただし、図示形態のように、切り込み２３０の位置をアウター１００の立体ギャザー７０の倒伏部分７２の股間側近傍とすることにより、アウター１００の立体ギャザー７０が倒伏部分７２近傍では最も倒れた状態となるため、股間部側の分離部分２０１をアウター１００の立体ギャザー７０で押えつけることができる。
【００３５】
切り込み２３０の幅方向長さは、アウター１００の立体ギャザー７０の高さ（起立可能な自由部分の幅）に応じて適宜定めることができ、アウター１００の立体ギャザー７０の高さ以上とすることが望ましい。具体的には、大人用の場合、切欠き２３１の幅方向長さは１５〜４０ｍｍ程度とすることができる。
【００３６】
切り込み２３０に代えて、切欠き２３１（図９、図１０の例参照）を形成することもでき、又はこれらを形成するためのミシン目を形成しておき、使用者が使用時にミシン目を切り離して切り込み２３０若しくは切欠き２３１を形成する形態を採用することもできる。
【００３７】
特に、図７及び図８に示すように、切り込み２３０の形状を、側縁から幅方向中央側かつ股間側に向かう斜め方向とするのも一つの好ましい形態である。この場合、アウター１００の立体ギャザー７０の内側に差し込まれる股間部側の分離部分２０１が尖った形状となり、アウター１００の立体ギャザー７０の倒伏部分７２に当接した状態ではアウター１００の立体ギャザー７０の内側から抜け出にくくなる。この場合、図示するように、アウター１００の立体ギャザー７０の倒伏部分７２を固定するための接着部７２ｂの股間側の縁を、切り込み２３０の斜め形状に合わせて、側端から幅方向中央側かつ股間側に向かう斜め方向とするとより好ましい。
【００３８】
また、切り込み２３０に代えて切欠き２３１を採用する場合には、側縁から幅方向中央側に向かうにつれて前後方向間隔が短くなる形状とするのも一つの好ましい形態である。この場合、切欠き２３１が開いた形状となり、切欠き２３１にアウター１００の立体ギャザー７０を差し込み易くなるため、装着作業が容易となる。この場合、図示するように、アウター１００の立体ギャザー７０の倒伏部分７２を固定するための接着部７２ｂの股間側の縁を、切欠き２３１の股間側の縁の斜め形状に合わせて、側端から幅方向中央側かつ股間側と反対側に向かう斜め方向とすると、より装着作業が容易となるため好ましい。
【００３９】
他方、パッドタイプ使い捨ておむつ２００の外形は矩形とするほか、図９に示すように、吸収体２２３の外形に合わせて、股間部を含む前後方向中間部が括れた形状となっていると、アウター１００の立体ギャザー７０間に収め易くなるため好ましい。
【００４０】
＜アウター使い捨ておむつの例＞
本発明のパッドタイプ使い捨ておむつ２００を組み合わせるアウター使い捨ておむつ１は特に限定されず、より大きなパッドタイプ使い捨ておむつとしたり、テープタイプ使い捨ておむつとしたりすることもできるが、装着時に立体ギャザーの股間幅が狭くなるという点でパンツタイプ使い捨ておむつが好適である。そこで以下では、このアウター使い捨ておむつ１としてパンツタイプ使い捨ておむつの一例について説明する。
【００４１】
図１２〜図２５はパンツタイプ使い捨ておむつ１を示している。このパンツタイプ使い捨ておむつ１（以下、単におむつともいう。）は、前身頃Ｆ及び後身頃Ｂを形成する外装シート２０と、この外装シート２０の内面に固定され一体化された内装体１０とを有しており、内装体１０は液透過性表面シート１１と液不透過性裏面側シート１２との間に吸収体１３が介在されてなるものである。製造に際しては、外装シート２０の内面（上面）に対して内装体１０の裏面がホットメルト接着剤Ｇなどの接合手段によって固定された後に、内装体１０および外装シート２０が前身頃Ｆ及び後身頃Ｂの境界である縦方向（前後方向）中央で折り畳まれ、その両側部が相互に熱溶着またはホットメルト接着剤などによって接合され、サイドシール部２１，２２が形成されることによって、ウエスト開口部及び左右一対のレッグ開口部が形成されたパンツタイプ使い捨ておむつとなる。
【００４２】
（外装シートの構造例）
外装シート２０は、図１５〜図１７にも示されるように、それぞれ不織布からなる内側層２０Ａ及び外側層２０Ｂがホットメルト接着剤により張り合わされてなる２層構造シートとされ、内側層２０Ａと外側層２０Ｂとの間、及び外側層２０Ｂをウエスト開口縁で内面側に折り返してなる折り返し部分２０Ｃの不織布間に各種弾性部材２４が伸長状態で挟持固定され、伸縮性が付与されている。平面形状は、中間両側部に夫々脚部開口を形成するために形成された凹状のレッグ開口縁（レッグ開口部の縁）２９により、全体として擬似砂時計形状をなしている。弾性部材２４〜２８としては、合成ゴムや天然ゴムを糸状、紐状、帯状等の細長状に形成したものを用いることができる。
【００４３】
特に、図示形態の外装シート２０においては、図１２〜図１４に示すように、前身頃Ｆ及び後身頃Ｂのそれぞれにおいて、ウエスト開口部近傍２３に配置されたウエスト部弾性部材２４，２４…と、ウエスト部弾性部材２４，２４…よりも股間側に配置された、縦方向に間隔をおいて幅方向に沿って配置された複数の腰回り弾性部材２５，２５…と、腰回り弾性部材群２５，２５…とは別に、前身頃Ｆと後身頃Ｂとを接合する両サイドシール部２１，２２からレッグ開口縁２９に沿って幅方向中央に向かうにつれて反対の身頃側へ向かうように湾曲しつつ、内装体１０の両側部と重なる部位まで延在するとともに、互いに交差することなく間隔をおいて配置された複数本の湾曲弾性部材２６…，２８…とを備えている。なお、本外装シート２０では、湾曲弾性部材２６…，２８…により脚周りに対するフィット性が確保されるため、レッグ開口縁２９に沿って前身頃Ｆから後身頃Ｂまで実質的に連続する脚回り弾性部材は設けられていないが、湾曲弾性部材２６…，２８…とともに設けることも可能である。
【００４４】
ウエスト部弾性部材２４，２４…は、サイドシール部２１，２２を有する縦方向範囲のうち、ウエスト開口縁近傍に上下方向に間隔をおいて配設された複数条の糸ゴム状弾性部材であり、その延在方向（おむつの幅方向）に伸長状態で外装シートに固定されることにより、身体のウエスト部回りを締め付けるように伸縮力を与えることによりおむつのウエスト開口縁を身体に装着するためのものである。このウエスト部弾性部材２４は、図示例では糸ゴムを用いたが、例えばテープ状の伸縮部材を用いてもよい。また、図示形態のウエスト部弾性部材２４，２４…は、ウエスト部における外側層２０Ｂの折り返し部分２０Ｃの不織布間に挟持されているが、内側層２０Ａと外側層２０Ｂとの間に挟持しても良い。
【００４５】
腰回り弾性部材２５，２５…は、サイドシール部２１，２２と対応する縦方向範囲、及びそれよりも股間側の範囲のうち、概ね上部から下部までの範囲に亘り、上下方向に間隔をおいて幅方向に沿って配設された糸ゴム等の細長状弾性部材であり、その延在方向（おむつの幅方向）に伸長状態で外装シートに固定されることにより、前身頃Ｆ及び後身頃Ｂの腰回り部分に夫々幅方向の伸縮力を与え、おむつを身体に密着させるためのものである。なお、ウエスト部弾性部材２４，２４…と腰回り弾性部材２５，２５…との境界は必ずしも明確でなくてよい。例えば、前身頃Ｆ及び後身頃Ｂに上下方向に間隔をおいて幅方向に配置された弾性部材の内、数は特定できなくても、上部側の何本かがウエスト部弾性部材として機能し、残りの弾性部材が腰回り弾性部材として機能していればよい。
【００４６】
後身頃Ｂにおいて、腰回り弾性部材２５，２５…とは別に配設された背側湾曲弾性部材２６，２６…は、その長手方向中間に縦方向との鋭角側交差角θ（以下、縦方向交差角ともいう）が最小となる最小点を有するとともに、この最小点から幅方向両側に向かうにつれて縦方向交差角θが０度〜９０度の範囲内で増加する所定の曲線であって、且つおむつを展開した状態で内装体１０の両側部と重なる領域内に縦方向交差角θが６０度以下となる交差部分を有する所定の曲線に沿って配置されているものであり、その延在方向に伸長状態で外装シートに固定されている。背側湾曲弾性部材２６は、一本であっても良いが複数本であるのが好ましく、図示例では５本の糸ゴム状弾性部材であり、これら背側湾曲弾性部材２６，２６…は互いに交差することなく、間隔をおいて配置されている。この背側湾曲弾性部材群２６，２６…は、２，３本程度の弾性伸縮部材を間隔を密にして実質的に一束として配置されるのではなく、所定の伸縮ゾーンを形成するように所定の間隔を空けて複数本以上配置される。
【００４７】
前身頃Ｆにおいて、腰回り弾性部材群２５，２５…とは別に配設された腹側湾曲弾性部材２８，２８…は、その長手方向中間に縦方向との縦方向交差角θが最小となる最小点を有するとともに、この最小点から幅方向両側に向かうにつれて縦方向交差角θが０度〜９０度の範囲内で増加する所定の曲線であって、且つおむつを展開した状態で内装体１０の両側部と重なる領域内に縦方向交差角θが６０度以下となる交差部分を有する所定の曲線に沿って配置されているものであり、その延在方向に伸長状態で外装シートに固定されている。腹側湾曲弾性部材２８，２８…は、一本であっても良いが複数本であるのが好ましく、図示例では５本の糸状弾性部材であり、これら腹側湾曲弾性部材２８，２８…は、互いに交差することなく、間隔をおいて配置されている。この腹側湾曲弾性部材群２８，２８…も、２、３本程度の弾性伸縮部材を間隔を密にして実質的に一束として配置されるのではなく、所定の伸縮ゾーンを形成するように所定の間隔を空けて複数本以上配置される。
【００４８】
湾曲弾性部材２６…，２８…は図示例のようにその全体が湾曲していなくても良く、部分的に直線状の部分を有していても良い。また、湾曲弾性部材２６…，２８…を、前身頃Ｆ及び後身頃Ｂの両方に設ける場合、前身頃Ｆ側に配置された湾曲弾性部材２８の群の一部又は全部と、後身頃Ｂ側に配置された湾曲弾性部材２６の群の一部又は全部とが股間部又はその前側若しくは後側近傍で交差する形態（図示せず）も採用できるが、図示例のように、前身頃Ｆ側に配置された湾曲弾性部材２８の群と、後身頃Ｂ側に配置された湾曲弾性部材２６の群とは互いに交差することなく前後方向中間部、特に前身頃Ｆに若干偏った位置で縦方向に離間している形態が好適であり、その縦方向離間距離は１０〜２０ｍｍ程度とするのが好ましい。
【００４９】
他方、図示例では、前身頃Ｆ及び後身頃Ｂに配置された腰回り弾性部材２５，２５…及び湾曲弾性部材２６…，２８…は、内装体１０を横切る一部の部位には設けられておらず、当該部位が非伸縮領域とされている。このように、弾性部材を有しない又は設けられていない形態には、弾性部材が存在しない形態の他、弾性部材は存在するが収縮力が作用しない程度に細かく切断させている形態も含まれる。図１９は、後者の例を示しており、腰回り弾性部材２５，２５…及び湾曲弾性部材２６…，２８…を、一方側のサイドシール部２２から内装体１０を横切って他方（反対）側のサイドシール部２２まで連続的に設けた後に、所定の切断パターンＣＰにより内装体１０を横切る部分の一部又は全部を切断し、不連続とするものである。弾性部材２５，２６，２８を内装体１０と重なる部分で不連続とすることにより、内装体１０（特に吸収体１３）の幅方向の収縮を防止することができる。もちろん、腰回り弾性部材２５，２５…を、内装体１０を横切って連続的に配置することもできる。
【００５０】
上述した外装シート２０は、例えば特開平４−２８３６３号公報や、特開平１１−３３２９１３号公報記載の技術により製造することができる。また、湾曲弾性部材２６…，２８…を内装体１０上で切断し不連続化するには、特開２００２−３５０２９号公報、特開２００２−１７８４２８号公報及び特開２００２-２７３８０８号公報に記載される切断方法が好適に採用される。
【００５１】
（屈曲フィット部）
図２４及び図２５に詳細に示すように、外装シート２０は、後身頃Ｂの外装シート２０における臀裂対向部の幅方向両側の部分が、内装体１０の側部と重なる側部重なり部分４１と、内装体１０の側縁１０ｅより側方に延出する側方延出部分４２とを有しており、背側湾曲弾性部材２６は、後身頃Ｂの右のサイドシール部から後身頃Ｂの右のレッグ開口縁２９に沿って右側の側部重なり部分４１に至り、右側の側部重なり部分４１から更に幅方向中央側に向かいつつ前側に向かうように湾曲して後身頃Ｂの幅方向中央部に位置する臀裂対向部に至り、臀裂対向部において後側に折り返され、更に左側に向かいつつ後側に向かうように湾曲して左側の側部重なり部分４１に至り、左側の側部重なり部分４１から後身頃Ｂの左のレッグ開口縁２９に沿って後身頃Ｂの左のサイドシール部に至るように固定されている。
【００５２】
また、一方の側方延出部分４２の側縁から臀裂対向部及びその両側の側部重なり部分４１を幅方向に横切って他方の側方延出部分４２の側縁まで延在する細長状の臀裂部幅方向弾性部材２７…が、その延在方向に所定の伸長率で伸長された状態で外装シート２０に固定されている。
【００５３】
そして、臀裂対向部においては、背側湾曲弾性部材２６及び臀裂部幅方向弾性部材２７は、側部重なり部分４１の幅方向中央側に位置する部分のみが、所定の切断パターンＣＰにより細かく切断されて収縮力が作用しない非収縮部分４３とされるとともに、臀裂部幅方向弾性部材２７は、臀裂対向部に位置する主部分４４、及び側部重なり部分４１と側方延出部分４２との境界の幅方向両側近傍にわたる境界部分４５よりも、当該境界部分４５の幅方向外側に位置する縁側部分４６、及び当該境界部分４５と非収縮部分４３との間に位置する中間部分４７の方が、低い伸長率で外装シート２０に固定されている。
【００５４】
このように構成されたパンツタイプ使い捨ておむつにおいては、背側湾曲弾性部材２６及び臀裂部幅方向弾性部材２７のうち、側部重なり部分４１の幅方向中央側に位置する部分のみが細かく切断され、実質的に収縮しない部分となるため、それらの間の臀裂対向部が、図２１及び図２２に示すように臀裂部幅方向弾性部材２７の収縮作用により装着者の臀裂に入り込む立体形状（おむつ内面が峰状に隆起）の屈曲フィット部４０となるとともに、側部重なり部分４１の幅方向中央側の部分では内装体１０が不必要に収縮せずに尻べたにフィットする形状となる。そしてその側方では、側部重なり部分４１と側方延出部分４２との境界及びその幅方向両側近傍に臀裂部幅方向弾性部材２７の収縮力がしっかりと作用して内装体１０の側縁部が装着者の尻べたに良好にフィットし、さらにその幅方向外側の部分には収縮力が弱く作用するか、又は実質的に作用しない（全く収縮力が作用しない状態と、収縮力は作用しているが収縮していない状態を含む）ため、レッグ開口部の縁部の捲れが発生し難くなる。よって、臀裂及びその幅方向両側におけるフィット性に優れ、後身頃Ｂにおけるレッグ開口部の縁部が捲れ難いものとなる。しかも、臀裂部幅方向弾性部材２７は、幅方向に沿って設けられるものであるため、低コストで製造できるだけでなく、高速ラインにより安定して製造できる。
【００５５】
臀裂部幅方向弾性部材２７の各部の伸長率は適宜定めることができるが、主部分４４及び境界部分４５は２００〜２４０％とするのが好ましく、縁側部分４６及び中間部分４７は１００〜１４０％とするのが好ましい。
【００５６】
このような伸長率差を有する臀裂部幅方向弾性部材２７の取り付け方法は特に限定されないが、既存技術を利用して製造する場合、図１８及び図２４に示すように塗布するのが好ましい。すなわち、臀裂部幅方向弾性部材２７を高い方の伸長率で供給して外装シート２０に固定する際、外側層２０Ｂと内側層２０Ａとの間のホットメルト接着剤Ｇ２，Ｇ３の塗布量を、主部分４４及び境界部分４５よりも縁側部分４６及び中間部分４７の方が少なくなるようにし、その後に、背側湾曲弾性部材２６及び臀裂部幅方向弾性部材２７における側部重なり部分４１の幅方向中央側に位置する部分のみを細かく切断するとともに、レッグ開口部の打ち抜きにより臀裂部幅方向弾性部材２７の端部を切断する方法を提案する。これにより、臀裂部幅方向弾性部材２７の主部分４４及び境界部分４５が十分な塗布量のホットメルト接着剤Ｇ２，Ｇ３により供給時の伸長率で外装シート２０に対して固定される一方、臀裂部幅方向弾性部材２７の縁側部分４６及び中間部分４７は少ない塗布量のホットメルト接着剤Ｇ３により弱く固定される結果、ある程度まで収縮して境界部分４５に向かって引き込まれ、境界部分４５より低い伸長率で固定されるようになる。臀裂部幅方向弾性部材２７は、ホットメルト接着剤Ｇ２を間欠塗布することを除いて、腰回り弾性部材２５と同様の手法により、また同時に取り付けることができる。
【００５７】
ホットメルト接着剤の塗布量差を設ける方法は特に限定されないが、後述するように、臀裂部幅方向弾性部材２７を外装シート２０に固定するに際して、臀裂部幅方向弾性部材２７をその外周面にホットメルト接着剤Ｇ２を直に塗布した後に外装シート２０に固定する手法を採用する場合には、臀裂部幅方向弾性部材２７の長手方向に間欠的にホットメルト接着剤Ｇ２を塗布する（つまり、主部分４４及び境界部分４５となる部位にはホットメルト接着剤Ｇ２を塗布し、縁側部分４６及び中間部分４７となる部位にはホットメルト接着剤を塗布しない）ことにより、上述のホットメルト接着剤の塗布量差、ひいては上述の伸長率差を達成することができる。
【００５８】
各部の幅は適宜定めることができるが、通常の場合、臀裂対向部の幅は内装体１０の幅１０Ｘの０．１５〜０．４０倍程度、側部重なり部分４１は内装体１０の幅１０Ｘの０．０５〜０．２０(片側のみ)倍程度、側方延出部分４２は内装体１０の幅１０Ｘの０．０５〜０．３５(片側のみ)倍程度、非収縮部分４３は内装体１０の幅１０Ｘの０．２５〜０．４０倍(片側のみ)程度、主部分４４は内装体１０の幅１０Ｘの０．１０〜０．４０倍程度、境界部分４５は内装体１０の幅１０Ｘの０．０５〜０．２０倍(片側のみ)程度、縁側部分４６は内装体１０の幅１０Ｘの０．０５〜０．１０倍(片側のみ)程度、及び中間部分４７は内装体１０の幅１０Ｘの０．０５〜０．１５倍(片側のみ)程度とすることができる。
【００５９】
臀裂対向部の収縮力作用部分（背側湾曲弾性部材２６及び臀裂部幅方向弾性部材２７を切断せずに残した幅方向中央領域）は、前後方向に延びる長方形状や、前側に向かうにつれて幅が広がる形状（例えば、底辺が前側に位置する二等辺三角形状や、その二等辺が曲線のラッパ状）であっても良いが、臀裂対向部の前端部から前後方向中間までは後側に向かうにつれて幅が拡大し、それよりも更に後側では後側に向かうにつれて幅が縮小する形状を有していると、特に臀裂に対して好適にフィットする屈曲フィット部４０が形成されるため好ましい。
【００６０】
臀裂対向部の収縮力作用部分の寸法は適宜定めることができるが、幅は内装体１０よりも狭く、例えば内装体１０の幅１０Ｘの０．１５〜０．４０倍程度とするのが望ましく、前後方向長さは内装体１０の前後方向長さの１／５〜１／２程度とするのが望ましい。また、その前端は前後方向中央又はその近傍に位置しているのが好ましい。前述の切断パターンにおける非切断部分ＮＣは、収縮力作用部分と同じ形状で、同じ又は若干大きめの寸法となる。また、前述の吸収体１３に設ける溝１３Ｄ又はスリットの前後方向長さ及び幅は、この収縮力作用部分より短くても、長くても、同じでも良いが、幅については収縮力作用部分未満とするのが好ましい。
【００６１】
（内装体１０と外装シート２０との固定）
内装体１０は、図１４及び図１６に示すように、その裏面の適宜の領域８１〜８３にホットメルト接着剤Ｇを塗布し、外装シート２０の内面に固定することができるが、図示例のように、脚の動きに対する内装体１０の追従性を向上させる観点から、股間部における固定領域８１の幅を狭くする、例えば内装体１０の幅１０Ｘの３０〜４５％程度とするのが好ましく、股間部の前後両側の固定領域８２，８３は内装体１０をしっかりと固定するために幅を広くし、特に両側縁近傍まで延在させるのが好ましい。
【００６２】
このような形状の固定領域８１〜８３は、ホットメルト接着剤Ｇを幅方向に複数列並べて塗布するとともに、中間部については前後方向に連続的に、両側部については間欠的（股間部では塗布せず）に、それぞれ塗布することにより形成することができる。
【００６３】
ただし、股間部における固定領域８１の幅を狭くする際、その幅の狭い領域を過度に後方に延在させると次のような問題がある。すなわち、背側湾曲弾性部材２６により股間部を後方へ引き上げるには、背側湾曲弾性部材２６及び臀裂部幅方向弾性部材２７は間隔空けて複数本設けられるとともに、少なくとも一本の背側湾曲弾性部材２６が最も前側に位置する臀裂部幅方向弾性部材２７の前側に膨出するように配置されているのが好ましい。しかしその場合、外装シート２０における最も前側に位置する背側湾曲弾性部材２６の幅方向外側であってかつ最も前側に位置する臀裂部幅方向弾性部材２７の前側の領域８４が内装体１０に固定されていないと、当該領域８４においてレッグ開口部の縁部が外側に捲れ易くなる。そこで、本実施形態では、股間部における接着幅の狭い領域８１を後側に過度に延在させず、後方の幅の広い固定領域８３を、外装シート２０における最も前側に位置する背側湾曲弾性部材２６の幅方向外側であってかつ最も前側に位置する臀裂部幅方向弾性部材２７の前側の領域８４まで延在させて、当該領域８４を内装体１０に固定し、捲れを防止するように構成している。
【００６４】
（縦方向の弾性変形時引張応力のバランス）
また、臀裂対向部のフィット性を良好にするためには、前身頃Ｆにおける縦方向の弾性変形時引張応力が、後身頃Ｂにおける縦方向の弾性変形時引張応力よりも大きくなる前後収縮力バランスとするのが好ましい。図示例では、前身頃Ｆ及び後身頃Ｂにおいて股間部をウエスト側に持ち上げるように縦方向成分の収縮力を発揮する引上げ弾性部材として湾曲弾性部材２６…，２８…が設けられており、その前後収縮力バランスにより、前身頃Ｆにおける縦方向の弾性変形時引張応力が、後身頃Ｂにおける縦方向の弾性変形時引張応力よりも大きくなるように構成されている。弾性変形時引張応力は、おむつの両サイドシール部２１，２２を剥がして展開状態にした後、測定対象身頃のウエスト開口縁部と、測定対象でない反対の身頃の股間側端部とを引張試験機のチャックでそれぞれ掴み、引張試験を行うことにより計測することができる。弾性変形時引張応力の差は適宜定めることができるが、前身頃Ｆにおける８０％伸び時（弾性限界の伸び（ひずみ）を１００％としたとき）の縦方向の弾性変形時引張応力が、後身頃Ｂにおけるそれの１．１〜１．２倍程度であるのが好ましい。なお、このことからも分かるように、弾性変形時引張応力の大小は同じ伸び（弾性限界の伸びを１００％としたとき、伸びが６５〜９５％の範囲内とするのが好ましい）での大小を意味する。
【００６５】
このように前身頃Ｆ及び後身頃Ｂに引上げ弾性部材２６…，２８…を設けて、前身頃Ｆにおける縦方向の弾性変形時の引張応力を後身頃Ｂのそれよりも大きくすると、図２１及び図２２に示すように、装着状態においては、後身頃Ｂの引上げ弾性部材２６…による収縮力に抗する前身頃Ｆの引上げ弾性部材２８…による収縮力によって、おむつの股間部が前側に移動しつつ持ち上がって股間にフィットし、これに伴い屈曲フィット部４０の前端部が前側に引っ張られ、その結果として屈曲フィット部４０はその屈曲状態を維持したまま臀裂にフィットするようになる。よって、臀裂から股間にかけて良好にフィットするとともに、そのフィットが身体の動きに追従して弾力的に維持され、装着時に股間部がモコモコし難くなる。これに対して、一般的なパンツタイプ使い捨ておむつでは、図２３に示すように、臀裂対向部が膨出して肌から大きく離間する結果、股間部がモコモコし、普通の下着と顕著に異なる違和感が発生する。
【００６６】
図示例では、引上げ弾性部材は湾曲弾性部材２６…，２８…のみで構成している。湾曲弾性部材２６…，２８…は、前身頃Ｆにおいては鼠蹊部に対するフィット性を向上させ、後身頃Ｂにおいては臀部の膨らみに対するフィット性を向上させる機能も有するものである。もちろん、湾曲弾性部材２６…，２８…に代えて又はこれとともに、細長状、シート状等の弾性部材を幅方向中間部に縦方向に沿って伸長状態で固定し、引き上げ弾性部材としても良い（図示略）。湾曲弾性部材２６…，２８…を他の種類の引き上げ弾性部材と組み合わせて用いる場合、図示例とは異なり、湾曲弾性部材２６…，２８…を、前身頃Ｆ及び後身頃Ｂのいずれか一方にのみ設け、他方に他の引き上げ弾性部材を設けるだけでも良い。
【００６７】
特に、図示例のような湾曲弾性部材２６…，２８…を設ける場合、内装体１０の側縁より幅方向外側の部位では、後身頃Ｂにおける湾曲弾性部材２６の縦方向間隔が、前身頃Ｆにおける湾曲弾性部材２８の縦方向間隔よりも広い配置となっていると、前身頃Ｆの湾曲弾性部材２８によって鼠蹊部に入り込むようなフィット性が発揮され、後身頃Ｂの湾曲弾性部材２６によって臀部の膨らみが包まれるようなフィット性が発揮されるだけでなく、屈曲フィット部４０がその屈曲状態を維持したまま臀裂にフィットする際、臀裂に対してきつく食い込むといった事態が発生し難くなるため好ましい。
【００６８】
前述の前後収縮力バランスは、各身頃Ｆ，Ｂにおける縦方向の弾性変形時引張応力の因子、例えば引上げ弾性部材２６…，２８…の太さ、伸長率、本数等の少なくとも一つを前後で異ならしめることにより実現できる。引上げ弾性部材２６…，２８…の太さ等を調整する場合、引上げ弾性部材２６…，２８…の本数は、おむつのサイズや配置に応じて定めるのが好ましいため、その配置及び本数を基本として、前述の前後収縮力バランスが得られるように、太さ及び伸長率の少なくとも一方を、後身頃Ｂよりも前身頃Ｆが太く又は高くなるようにするのが好ましい。
【００６９】
具体的に、図示例の場合には次の範囲内で各部の仕様を定めるのが好ましい。なお、弾性部材の太さの単位をｄｔｅｘに統一しているが、合成ゴムに限定するものではなく、天然ゴムを用いることもでき、天然ゴムを用いる場合の単位ｄｔｅｘとは、当該ｄｔｅｘの合成ゴムと同等のＳＳカーブを有する天然ゴムの太さ（例：ウエスト部弾性部材２４に天然ゴムを用いる場合は０．５ｍｍ〜３．０ｍｍ）を意味するものである。
・外装シート２０
素材：不織布
坪量：３０〜７５ｇ／ｍ2、特に３６〜６０ｇ／ｍ2
・前身頃Ｆ及び後身頃Ｂのウエスト部弾性部材２４
太さ：４７０〜１，２４０ｄｔｅｘ、特に９４０〜１，２４０ｄｔｅｘ
【００７０】
本数：５〜１０本、特に８〜１０本（各身頃）
間隔：０〜５ｍｍ、特に３〜５ｍｍ
固定時の伸長率：２００〜３５０％、特に２５０〜３００％
・前身頃Ｆの腰回り部弾性部材２５
太さ：４７０〜１，２４０ｄｔｅｘ、特に４７０〜６２０ｄｔｅｘ
本数：６〜２６本、特に８〜１６本
間隔：１０〜４０ｍｍ、特に１５〜３５ｍｍ
固定時の伸長率：２００〜３５０％、特に２５０〜３００％
・後身頃Ｂの腰回り部弾性部材２５
太さ：４７０〜１，２４０ｄｔｅｘ、特に４７０〜６２０ｄｔｅｘ
本数：６〜２４本、特に９〜１４本
間隔：１０〜４０ｍｍ、特に１５〜３５ｍｍ
固定時の伸長率：２００〜３５０％、特に２５０〜３００％
・臀裂部幅方向弾性部材２７
太さ：４７０〜１，２４０ｄｔｅｘ、特に９４０〜１，２４０ｄｔｅｘ
本数：５〜２０本、特に９〜１０本
間隔：５〜２０ｍｍ、特に１０〜１６ｍｍ
固定時の伸長率：２００〜３５０％、特に２５０〜３３０％
・前身頃Ｆの湾曲弾性部材２８
太さ：６２０〜１，２４０ｄｔｅｘ、特に６２０〜９４０ｄｔｅｘ
本数：３〜１０本、特に５〜１０本
間隔：１０〜３５ｍｍ、特に１６〜３２ｍｍ
固定時の伸長率：２３０〜３８０％、特に３００〜３８０％で且つ後身頃Ｂの湾曲弾性部材２６より高い伸長率
・後身頃Ｂの湾曲弾性部材２６
太さ：６２０〜１，２４０ｄｔｅｘ、特に６２０〜９４０ｄｔｅｘ
本数：３〜１０本、特に５〜１０本
間隔：１０〜３５ｍｍ、特に１６〜３２ｍｍ
固定時の伸長率：２００〜３５０％、特に２５０〜３００％
【００７１】
（外装シートの柔軟化に関する構成）
腰回り弾性部材２５…を有する縦方向範囲と湾曲弾性部材２６…，２８…を有する縦方向範囲３１とが一部（又は全部でも良い）重複しており、且つこの重複範囲３０内に腰回り弾性部材２５…が複数本（例えば５〜１０本程度）含まれるとともに、そのうちの少なくとも一部の腰回り弾性部材２５…の相互間隔ｄ１が他の腰回り弾性部材２５…の相互間隔ｄ２よりも広くなっていると好ましい。また、重複範囲３０外においても、湾曲弾性部材２６…，２８…を有する縦方向範囲３１とウエスト部弾性部材２４を有する縦方向範囲との間の中間範囲３２に、腰回り弾性部材２５…が複数本（例えば１０〜１６本程度）設けられていると好ましい。
【００７２】
このように、腰回り弾性部材２５…を有する縦方向範囲と湾曲弾性部材２６…，２８…を有する縦方向範囲との重複範囲３０をある程度許容しつつ、その範囲内に腰回り弾性部材２５…の相互間隔の広い部分を設けることによって、フィット性を損ねずに、弾性部材の密集を抑制することができる。その結果、上記重複範囲３０において外装シート２０にプリーツが密集せず、厚みの不必要な増加、弾性部材自体及びその接着による硬質化が抑制され、もって柔軟で快適な装着感が得られるようになる。
【００７３】
通常の場合、上述の腰回り弾性部材２５…の相互間隔ｄ１は１５〜５０ｍｍ程度、他の腰回り弾性部材２５…の相互間隔ｄ２は１０〜２０ｍｍ程度とするのが好ましい。また、重複範囲３０の縦方向長さは展開状態でのおむつの全長の１５〜３０％程度であるのが好ましく、重複範囲３０に占める腰回り弾性部材２５…の相互間隔の広い間隔部分３５の割合は縦方向長さの比（すなわち、間隔ｄ１の総和／重複範囲３０の縦方向長さ）で６０〜１００％程度であるのが好ましい。上記重複範囲３０が狭すぎると、腰回り弾性部材２５…の間隔を広げる意義が薄くなり、広過ぎると腰回り弾性部材２５…の間隔の広い部分３５が増加することによりフィット性が低下する。また、上記重複範囲３０内に占める腰回り弾性部材２５…の相互間隔の広い部分３５の割合が少な過ぎると柔軟性の向上は見込めるものの顕著な向上は困難となる。
【００７４】
具体的に、図示例の場合、重複範囲３０に占める腰回り弾性部材２５…の相互間隔ｄ１の広い部分３５の割合は、前身頃Ｆでは４０％程度、後身頃Ｂでは１００％となっている。このように、柔軟性向上に関する構成は、前身頃Ｆと後身頃Ｂとで異ならしめることができ、外装シート２０における前身頃Ｆ及び後身頃Ｂのいずれか一方にのみ適用することも可能である（以下同じ）。
【００７５】
他方、ウエスト部弾性部材２４、腰回り弾性部材２５…、臀裂部幅方向弾性部材２７…及び湾曲弾性部材２６…，２８…は、外装シート２０を構成する一対のシート層２０Ａ，２０Ｂの間に挟まれるとともに、それらシート層２０Ａ，２０Ｂに対してホットメルト接着剤により接着固定されており、その接着剤塗布量は外装シート２０の柔軟性を大きく左右する。よって、図１８に示すように、その接着剤の塗布部分Ｇ１〜Ｇ３は、ウエスト部弾性部材２４の配置部分及びその近傍、腰回り弾性部材２５…の配置部分及びその近傍、臀裂部幅方向弾性部材２７…の配置部分及びその近傍、湾曲弾性部材２６…，２８…の配置部分及びその縦横各所定距離ａ以内（通常の場合±２５ｍｍ以内、より好ましくは±１０ｍｍ以内、特に好ましくは±５ｍｍ以内）の領域のみとし、これらの接着剤以外には両シート層間に接着剤を塗布しないようにするのが好ましい。このように、接着剤塗布部分Ｇ１〜Ｇ３を可能な限り低減することにより、接着剤による硬質化を各段に抑制することができる。しかも、これと前述の腰回り弾性部材２５…の局所的間隔増大とが組み合わさると、予想以上の柔軟性向上効果が得られる。
【００７６】
図１８は、製造工程におけるホットメルト接着剤の塗布部位Ｇ１〜Ｇ３を示しており、湾曲弾性部材２６…，２８…は二点鎖線で示されるように内装体１０を横切る部分の切断前の状態を示している。ウエスト部弾性部材２４及び腰回り弾性部材２５…を両シート層２０Ａ，２０Ｂに固定するための接着剤Ｇ１、臀裂部幅方向弾性部材２７…を両シート層２０Ａ，２０Ｂに固定するための接着剤Ｇ２は、実質的に各弾性部材２４，２５の配置部位及びその近傍にのみ塗布されている。このような接着剤の塗布は、外周面に接着剤を塗布した弾性部材２４，２５を両シート層２０Ａ，２０Ｂで挟むことにより実現することができ、そのような弾性部材２４，２５の外周面への接着剤の塗布はノードソン社のシュアラップノズルにより行うことができる。
【００７７】
一方、湾曲弾性部材２６…，２８…を両シート層２０Ａ，２０Ｂに固定するための接着剤Ｇ３は、矩形の接着剤塗布部分Ｂ２が湾曲弾性部材２６…，２８…の湾曲方向に沿って階段状に並設されることにより、湾曲弾性部材２６…，２８…の長手方向全体にわたり、湾曲弾性部材２６…，２８…の配置部分及びその縦横各所定距離ａ以内の領域にのみ接着剤が塗布されている。このような接着剤の塗布は、塗布工程においてシート層２０Ａ，２０Ｂの横方向（おむつの幅方向）がラインＭＤ方向（流れ方向）に沿う通常の形態では、ラインＣＤ方向（ＭＤ方向と交差する方向）に複数のスロット塗布ノズルを並設し、各ノズルから独立的かつ間欠的に接着剤を塗布することにより行うことができる。
【００７８】
（内装体の構造例）
内装体１０は、図１５〜図１７に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００７９】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００８０】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００８１】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００８２】
なお、上述の屈曲フィット部４０は、吸収体１３における臀裂対向部に縦方向に沿う溝１３Ｄやスリットを設ける等によってその形成を補助することもでき、その場合、適切な位置を折り目として屈曲フィット部４０が形成され、またその形状も維持され易くなる。
【００８３】
内装体１０の両側部には脚周りにフィットする立体ギャザー７０が形成されているのが好ましい。この立体ギャザー７０はギャザーシート１５により形成される、ギャザーシートとしては、図１６及び図１７に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザーシート１５は、おむつ１の長手方向中間部では、起立可能な自由部分７１を先端側に残し、幅方向中間部から吸収体１３の裏面側に亘る範囲がホットメルト接着剤等によって接着され、また前後端部では、幅方向中間部から一方側端縁までの区間が吸収体１３の裏面側に亘る範囲で接着されるとともに、残りの部分（自由部分と対応する部分）は吸収体１３の上側で折り畳まれ、倒伏状態でホットメルト接着剤等により接着されている。後者の部分が倒伏部分７２である。
【００８４】
ギャザーシート１５の内部には、起立先端側部分に複数本の糸状弾性伸縮部材１６、１６…が挟まれている。糸状弾性伸縮部材１６、１６…は、製品状態において図１６に二点鎖線で示すように、弾性伸縮力により吸収体側縁部より突出する不織布部分を起立させて立体ギャザー７０を形成するためのものである。
【００８５】
液不透過性裏面側シート１２は、二重シート状のギャザーシート１５の内部まで進入し、図１６に示されるように、立体ギャザー７０の下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００８６】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、伸長率は１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００８７】
前述のギャザーシート１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザーシート１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００８８】
（前後押えシート）
図１２及び図１５にも示されるように、外装シート２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００８９】
図示形態のように、前後押えシート５０，６０を別体として取り付けると、素材選択の自由度が高くなる利点があるものの、資材や製造工程が増加する等のデメリットもある。そのため、外装シート２０をおむつ１内面に折り返してなる折り返し部分２０Ｃを、吸収パッド２００と重なる部分まで延在させて、前述の押えシート５０，６０と同等の部分を形成することもできる。
【産業上の利用可能性】
【００９０】
本発明は、パッドタイプ使い捨ておむつに利用できるものである。
【符号の説明】
【００９１】
Ｂ…後身頃、Ｆ…前身頃、１…アウター使い捨ておむつ、１０…内装体、１１…液透過性表面シート、１２…液不透過性裏面側シート、１３…吸収体、１４…包装シート、１５…ギャザーシート、１６…糸状弾性伸縮部材、２０…外装シート、２０Ｃ…外装シート折り返し部、２１，２２…サイドシール部、２４…ウエスト部弾性部材、２５…腰回り弾性部材、２６…背側湾曲弾性部材、２７…臀裂部幅方向弾性部材、２８…腹側湾曲弾性部材、２９…レッグ開口縁、４１…側部重なり部分、４２…側方延出部分、４３…非収縮部分、４４…主部分、４５…境界部分、４６…縁側部分、４７…縁側部分、８１〜８３…固定領域、２００…パッドタイプ使い捨ておむつ、２２１…液不透過性シート、２２２…トップシート、２２３…吸収体、２２３ｎ…括れ部分、２２４…立体ギャザー、２２４ｓ…ギャザーシート、２２５…中間シート、２２６…包装シート、２３０…切り込み、２３１…切り欠き、２８０…ずれ止め部。
【図１】
2014045979.tif 000003
【図２】
2014045979.tif 000004
【図３】
2014045979.tif 000005
【図４】
2014045979.tif 000006
【図５】
2014045979.tif 000007
【図６】
2014045979.tif 000008
【図７】
2014045979.tif 000009
【図８】
2014045979.tif 000010
【図９】
2014045979.tif 000011
【図１０】
2014045979.tif 000012
【図１１】
2014045979.tif 000013
【図１２】
2014045979.tif 000014
【図１３】
2014045979.tif 000015
【図１４】
2014045979.tif 000016
【図１５】
2014045979.tif 000017
【図１６】
2014045979.tif 000018
【図１７】
2014045979.tif 000019
【図１８】
2014045979.tif 000020
【図１９】
2014045979.tif 000021
【図２０】
2014045979.tif 000022
【図２１】
2014045979.tif 000023
【図２２】
2014045979.tif 000024
【図２３】
2014045979.tif 000025
【図２４】
2014045979.tif 000026
【図２５】
2014045979.tif 000027